(57)【要約】      （修正有）【課題】太陽の高さ及び方角にかかわらず、太陽光パネルの適切な傾斜角度を実現する太陽光発電装置を提供する。【解決手段】太陽光発電装置１００は、太陽光パネル１１０と、一端において地面に固定され、他端において太陽光パネルの裏面に回動自在に取り付けられている主柱１２０と、一端が主柱の下端に回動自在に取り付けられ、他端は太陽光パネルの裏面の端部に回動自在に取り付けられている伸縮自在の第一支柱１３０と、からなる。主柱１２０も伸縮自在であることが好ましい。【選択図】図１
0003189709.tif 000002
【実用新案登録請求の範囲】
【請求項１】
太陽光を電気に変換する太陽光パネルと、
一端において地面に固定され、他端において前記太陽光パネルの裏面に回動自在に取り付けられている少なくとも一つの主柱と、
一端が前記主柱の各々の下端またはその近傍に回動自在に取り付けられ、他端は前記主柱の前記他端から離れた位置において前記太陽光パネルの裏面に回動自在に取り付けられている伸縮自在の第一支柱と、
からなる太陽光発電装置。
【請求項２】
一端が前記主柱の各々の下端またはその近傍に回動自在に取り付けられ、他端は前記主柱の前記他端に関して前記第一支柱の前記他端とは反対側に回動自在に取り付けられている伸縮自在の第二支柱をさらに備える請求項１に記載の太陽光発電装置。
【請求項３】
前記主柱は伸縮自在であることを特徴とする請求項１または２に記載の太陽光発電装置。
【請求項４】
前記主柱は、第一の柱と、前記第一の柱と同心に前記第一の柱の外側に配置された第二の柱とからなるものであることを特徴とする請求項１または２に記載の太陽光発電装置。
【考案の詳細な説明】
【技術分野】
【０００１】
本考案は太陽光を電気に変換する太陽光発電装置に関する。
【背景技術】
【０００２】
太陽光発電装置の一例として実用新案登録第３１５４２１５号公報に記載されたものがある。
【０００３】
図４は同公報に記載された太陽光発電装置１０の斜視図である。
【０００４】
図４に示す太陽光発電装置１０は、太陽光パネル１と、太陽光パネル１を支持する二つのスタンド２と、スタンド２の各々に結合されている傾斜調整用柱３と、からなる。
【０００５】
二つのスタンド２は太陽光パネル１の同じ側に位置する二つの角部のそれぞれにおいて太陽光パネル１を支持している。
【０００６】
二つのスタンド２の各々の底部下方には蓄電器２１が設置されており、太陽光パネル１が発電した電気は蓄電器２１に蓄えられる。
【０００７】
また、二つのスタンド２の各々には蓄電器２１に蓄電された電気を取り出すためのインターフェイス２２（例えば、コンセントまたはＵＳＢスロット）が設けられており、太陽光パネル１が発電した電気はインターフェイス２２を介して外部に供給される。
【０００８】
さらに、二つのスタンド２の各々にはスタンド２の高さを調節することができる高さ調節装置２３が設けられている。
【０００９】
図５はスタンド２の一部拡大斜視図である。
【００１０】
図５に示すように、各スタンド２には上下方向に３個の挿入口２４（図４には示されていない）が形成されている。
【００１１】
各傾斜調整用柱３は、その一端（スタンド２とは反対側の端部）において太陽光パネル１の裏面に回動自在に取り付けられており、他端３１において各挿入口２４に挿入可能な形状に形成されている。
【００１２】
各傾斜調整用柱３の他端３１を一番上の挿入口２４、中間の挿入口２４及び一番下の挿入口２４の何れかに挿入することにより、太陽光パネル１の傾斜を３段階に調節することができる。
【先行技術文献】
【特許文献】
【００１３】
【特許文献１】実用新案登録第３１５４２１５号公報
【考案の開示】
【考案が解決しようとする課題】
【００１４】
図４及び図５に示した従来の太陽光発電装置１０においては、太陽光パネル１の傾斜は、各スタンド２に形成された挿入口２４の数と同数の段階において、変更可能である。具体的には、図５に示すように、各スタンド２には３個の挿入口２４が形成されているので、太陽光パネル１の傾斜は３段階に変更可能である。
【００１５】
このため、太陽の高さ及び方角が太陽光パネル１の実現可能な３つの傾斜角度に応じたものである場合には、太陽光パネル１の適切な傾斜角度を実現することができるが、それ以外の場合には、太陽光パネル１の傾斜角度は必ずしも適切ではない。
【００１６】
本考案はこのような従来の太陽光発電装置１０における問題点に鑑みてなされたものであり、太陽の高さ及び方角にかかわらず、太陽光パネルの適切な傾斜角度を実現することを可能にする太陽光発電装置を提供することを目的とする。
【課題を解決するための手段】
【００１７】
上記の目的を達成するため、本考案は、太陽光を電気に変換する太陽光パネルと、一端において地面に固定され、他端において前記太陽光パネルの裏面に回動自在に取り付けられている少なくとも一つの主柱と、一端が前記主柱の各々の下端またはその近傍に回動自在に取り付けられ、他端は前記主柱の前記他端から離れた位置において前記太陽光パネルの裏面に回動自在に取り付けられている伸縮自在の第一支柱と、からなる太陽光発電装置を提案する。
【００１８】
本考案に係る太陽光発電装置は、一端が前記主柱の各々の下端またはその近傍に回動自在に取り付けられ、他端は前記主柱の前記他端に関して前記第一支柱の前記他端とは反対側に回動自在に取り付けられている伸縮自在の第二支柱をさらに備えることが好ましい。
【００１９】
前記主柱は伸縮自在であることが好ましい。
【００２０】
前記主柱は、例えば、第一の柱と、前記第一の柱と同心に前記第一の柱の外側に配置された第二の柱とからなるものであることが好ましい。
【考案の効果】
【００２１】
太陽光パネルは主柱の他端（例えば、上端）を中心として回転可能である。このため、例えば、第一支柱を伸長させると、太陽光パネルは主柱の他端を中心として、例えば、反時計回りの方向に回転する。逆に、第一支柱を収縮させると、太陽光パネルは主柱の他端を中心として時計回りの方向に回転する。
【００２２】
このように、本考案に係る太陽光発電装置においては、太陽光パネルは、第一支柱を伸縮させることにより、主柱の他端を中心として回転し、太陽光パネルを任意の方向に向けることが可能である。
【００２３】
このため、太陽光パネルを常に太陽に向けておくことが可能であり、太陽光の集光効率を最大化することができる。
【図面の簡単な説明】
【００２４】
【図１】本考案の第一の実施形態に係る太陽光発電装置の正面図（図１（Ａ））と側面図（図１（Ｂ））である。
【図２】本考案の第二の実施形態に係る太陽光発電装置の正面図（図１（Ａ））と側面図（図１（Ｂ））である。
【図３】本考案の第三の実施形態に係る太陽光発電装置の正面図（図１（Ａ））と側面図（図１（Ｂ））である
【図４】従来の太陽光発電装置の斜視図である。
【図５】図４に示した従来の太陽光発電装置の一部拡大斜視図である。
【考案を実施するための形態】
【００２５】
（第一の実施形態）
図１（Ａ）は本考案の第一の実施形態に係る太陽光発電装置１００の正面図、図１（Ｂ）は太陽光発電装置１００の側面図である。
【００２６】
図１（Ａ）及び図１（Ｂ）に示すように、本実施形態に係る太陽光発電装置１００は、太陽光を電気に変換する太陽光パネル１１０と、２本の主柱１２０と、２本の第一支柱１３０と、から構成されている。
【００２７】
太陽光パネル１１０は長方形のプレート形状をなしている。
【００２８】
２本の主柱１２０の各々は太陽光パネル１１０の横軸方向の中心に関して左右対称の位置に、かつ、縦軸方向の中心の位置に配置されている。各主柱１２０は、下端において地面に固定され、上端において太陽光パネル１１０の裏面に回動自在に取り付けられている。このため、太陽光パネル１１０は主柱１２０の上端を中心として主柱１２０を含む鉛直面内において矢印Ａ１、Ａ２の方向に回転することが可能である。
【００２９】
第一支柱１３０は、下端において主柱１２０の下端に回動自在に取り付けられ、上端において太陽光パネル１１０の裏面の端部（図１（Ｂ）においては太陽光パネル１１０の上端）に回動自在に取り付けられている。
【００３０】
第一支柱１３０は、例えば、油圧式ダンパーから構成されており、矢印Ｂ１、Ｂ２の方向に伸縮自在である。
【００３１】
以上のような構造を有する本実施形態に係る太陽光発電装置１００は以下のように動作する。
【００３２】
太陽光パネル１１０は主柱１２０の上端を中心として矢印Ａ１、Ａ２の方向に回転可能である。
【００３３】
このため、例えば、第一支柱１３０を矢印Ｂ１の方向に伸長させると、太陽光パネル１１０は主柱１２０の上端を中心として矢印Ａ１の方向に回転する。
【００３４】
逆に、第一支柱１３０を矢印Ｂ２の方向に収縮させると、太陽光パネル１１０は主柱１２０の上端を中心として矢印Ａ２の方向に回転する。
【００３５】
このように、太陽光パネル１１０は、第一支柱１３０を伸縮させることにより、主柱１２０の上端を中心として回転し、太陽光パネル１１０を任意の方向に向けることが可能である。
【００３６】
例えば、太陽光パネル１１０が主柱１２０となす角度をθ（図１（Ｂ）参照）とすると、第一支柱１３０を伸縮させることにより、太陽光パネル１１０は３０度から１５０度の角度θの範囲内において連続的に回転することができる。
【００３７】
以上のように、本実施形態に係る太陽光発電装置１００によれば、第一支柱１３０を伸縮させることにより、太陽光パネル１１０は主柱１２０の上端を中心として、予め定められた範囲内において回転することが可能である。このため、太陽光パネル１１０を常に太陽に向けておくことが可能であり、太陽光の集光効率を最大化することができる。
【００３８】
本実施形態に係る太陽光発電装置１００は上記の構造に限定されるものではなく、種々の改変が可能である。
【００３９】
本実施形態に係る太陽光発電装置１００は２本の主柱及びそれらに対応する２本の第一支柱１３０を備えるものとして構成されているが、主柱１２０及び第一支柱１３０の数は２には限定されない。１または３以上の任意の数を選択することが可能である。
【００４０】
また、本実施形態に係る太陽光発電装置１００においては、主柱１２０の上端は太陽光パネル１１０の縦軸方向の中心の位置において太陽光パネル１１０に取り付けられているが、太陽光パネル１１０の縦軸方向の中心の位置以外の位置において太陽光パネル１１０に取り付けることも可能である。
【００４１】
また、本実施形態に係る太陽光発電装置１００においては、第一支柱１３０の下端は主柱１２０の下端に取り付けられているが、主柱１２０の下端の近傍に取り付けることも可能である。
【００４２】
また、本実施形態に係る太陽光発電装置１００においては、第一支柱１３０の上端は太陽光パネル１１０の裏面の端部に取り付けられているが、第一支柱１３０の上端の取り付け位置は、主柱１２０の上端から離れた位置であれば、任意の位置を選択することが可能である。ただし、主柱１２０の上端から最も離れた位置（太陽光パネル１１０の縦軸方向における両端）において第一支柱１３０の上端を太陽光パネル１１０に取り付けることにより、第一支柱１３０の伸縮の度合いに対する太陽光パネル１１０の回転角度を最大化することができる。この意味においては、太陽光パネル１１０の縦軸方向の中心位置からずらした位置（すなわち、偏心した位置）において主柱１２０の上端を太陽光パネル１１０に取り付け、主柱１２０の上端と第一支柱１３０の上端との間の距離を大きくとることによって、第一支柱１３０の伸縮の度合いに対する太陽光パネル１１０の回転角度を大きくすることができる。
【００４３】
主柱１２０は単一の柱として構成することができる他に、二重構造の柱として構成することも可能である。具体的には、主柱１２０は、第一の柱と、第一の柱と同心に第一の柱の外側に配置された第二の柱とから構成することが可能である。このように主柱１２０を二重構造にすることにより、特開２０１３−１５１８５０号公報（本出願人が出願したもの）に記載されている工法を採用することが可能になる。
【００４４】
（第二の実施形態）
図２（Ａ）は本考案の第二の実施形態に係る太陽光発電装置２００の正面図、図２（Ｂ）は太陽光発電装置２００の側面図である。
【００４５】
図２（Ａ）及び図２（Ｂ）に示すように、本実施形態に係る太陽光発電装置２００は、第一の実施形態に係る太陽光発電装置１００と比較して、第二支柱２１０を追加的に備えている。この点を除いて、本実施形態に係る太陽光発電装置２００は第一の実施形態に係る太陽光発電装置１００と同一の構造を有している。
【００４６】
第二支柱２１０は第一支柱１３０と同様の構造を有している。
【００４７】
第二支柱２１０は、下端において主柱１２０の下端に回動自在に取り付けられ、上端において、主柱１２０の上端に関して第一支柱１３０の上端とは反対側における太陽光パネル１１０の裏面の端部（図２（Ｂ）においては太陽光パネル１１０の下端）に回動自在に取り付けられている。
【００４８】
第二支柱２１０は、第一支柱１３０と同様に、例えば、油圧式ダンパーから構成されており、矢印Ｃ１、Ｃ２の方向に伸縮自在である。
【００４９】
以上のような構造を有する本実施形態に係る太陽光発電装置２００は以下のように動作する。
【００５０】
第一支柱１３０を矢印Ｂ１の方向に伸長させ、かつ、第二支柱２１０を矢印Ｃ１の方向に収縮させると、太陽光パネル１１０は主柱１２０の上端を中心として矢印Ａ１の方向に回転する。
【００５１】
逆に、第一支柱１３０を矢印Ｂ２の方向に収縮させ、かつ、第二支柱２１０を矢印Ｃ２の方向に伸長させると、太陽光パネル１１０は主柱１２０の上端を中心として矢印Ａ２の方向に回転する。
【００５２】
このように、本実施形態に係る太陽光発電装置２００によれば、太陽光パネル１１０は、第一支柱１３０及び第二支柱２１０を伸縮させることにより、主柱１２０の上端を中心として回転し、太陽光パネル１１０を任意の方向に向けることが可能である。
【００５３】
本実施形態に係る太陽光発電装置２００は、第一の実施形態に係る太陽光発電装置１００と比較して、第二支柱２１０を追加的に備えているため、太陽光パネル１１０の回転をより確実に実行することができる。
【００５４】
（第三の実施形態）
図３（Ａ）は本考案の第三の実施形態に係る太陽光発電装置３００の正面図、図３（Ｂ）は太陽光発電装置３００の側面図である。
【００５５】
図３（Ａ）及び図３（Ｂ）に示すように、本実施形態に係る太陽光発電装置３００は、第二の実施形態に係る太陽光発電装置２００における主柱１２０に代えて、伸縮自在の主柱３１０を備えている。この点を除いて、本実施形態に係る太陽光発電装置３００は第二の実施形態に係る太陽光発電装置２００と同一の構造を有している。
【００５６】
主柱３１０は、第一支柱１３０及び第二支柱２１０と同様に、例えば、油圧式ダンパーとして構成されており、上下方向Ｄに伸縮自在である。
【００５７】
本実施形態に係る太陽光発電装置３００によれば、太陽光パネル１１０の高さを変えることができるため、例えば、太陽光パネル１１０の下方の一部が他の遮蔽物（例えば、隣接する建物）の日陰になるとき、太陽光パネル１１０を上昇させ、日陰を避けることが可能である。
【符号の説明】
【００５８】
１００  本考案の第一の実施形態に係る太陽光発電装置
１１０  太陽光パネル
１２０  主柱
１３０  第一支柱
２００  本考案の第二の実施形態に係る太陽光発電装置
２１０  第二支柱
３００  本考案の第三の実施形態に係る太陽光発電装置
３１０  主柱
【図１】
0003189709.tif 000003
【図２】
0003189709.tif 000004
【図３】
0003189709.tif 000005
【図４】
0003189709.tif 000006
【図５】
0003189709.tif 000007